【手続補正書】
【提出日】平成19年5月25日(2007.5.25)
【手続補正１】
【補正対象書類名】明細書
【補正対象項目名】特許請求の範囲
【補正方法】変更
【補正の内容】
【特許請求の範囲】
【請求項１】  通話可能化装置を用いてユーザが双方向で情報をやり取りすることを可能にするように構成された少なくとも１つの機構と、
前記少なくとも１つの機構に結合されるエージェントであって、ユーザ定義された事象の出現に応答して、前記少なくとも１つの機構を介して、前記通話可能化装置の自動形成通話履歴中のエントリに関係付けられるようにボイスタグをユーザが話すよう自動的に促すように構成されたエージェントと、ここで、自動的とはユーザの手動による介入なしに、ということである、
を具備する、
通話可能化装置。
【請求項２】  エージェントはプロセッサと、前記プロセッサによって実行可能な１組のソフトウェア指令を含む不揮発性メモリと、
を具備する請求項１記載の装置。
【請求項３】  前記通話履歴は下記リストの少なくとも１つを具備する請求項１記載の装置：前記装置へ入って来るページ、前記装置から発せられた電子メールメッセージ、前記装置へ入って来る電話呼及び前記装置から発せられた電話呼のリスト。
【請求項４】  ユーザの電話帳を記憶するよう構成された記憶媒体をさらに具備し、ここで前記装置は電話呼を受信するよう構成された無線電話器を有し、前記ユーザ定義された事象は特定の電話番号からの前記装置への電話呼のユーザ定義された番号の出現を有し、及び前記エントリは前記特定の電話番号を有し、ここで前記エントリは該ユーザの電話帳に記憶されている請求項１記載の装置。
【請求項５】  ユーザの電話帳を記憶するよう構成された記憶媒体をさらに具備し、ここで前記装置は電子メールメッセージを受信するよう構成され、前記ユーザ定義された事象は特定の電子メールアドレスからの前記装置へのページのユーザ定義された番号の出現を有し、及び前記エントリは前記特定の電子メールアドレスを有し、ここで前記エントリは該ユーザの電話帳に記憶されている請求項１記載の装置。
【請求項６】  ユーザの電話帳を記憶するよう構成された記憶媒体をさらに具備し、ここで前記装置は電話呼を送信するよう構成された無線電話器を有し、前記ユーザ定義された事象は前記装置から特定の電話番号への電話呼のユーザ定義された番号の出現を有し、及び前記エントリは前記特定の電話番号を有し、ここで前記エントリは該ユーザの電話帳に記憶されている請求項１記載の装置。
【請求項７】  ユーザの電話帳を記憶するよう構成された記憶媒体をさらに具備し、ここで前記装置は電子メールメッセージを送信するよう構成され、前記ユーザ定義された事象は前記装置から特定の電子メールアドレスへの電子メールメッセージのユーザ定義された番号の出現を有し、及び前記エントリは前記特定の電子メールアドレスを有し、ここで前記エントリは該ユーザの電話帳に記憶されている請求項１記載の装置。
【請求項８】  通話可能化装置を用いてユーザが双方向で情報をやり取りすることを可能にするための手段と、
ユーザ定義された事象の出現に応答して、前記通話可能化装置の自動形成通話履歴中のエントリに関係付けられるようにボイスタグをユーザが話すよう、自動的に、エージェントを介して促すための手段と、ここで、自動的とはユーザの手動による介入なしに、ということである、
を具備する、
通話可能化装置。
【請求項９】  前記促すための手段はプロセッサと、前記プロセッサによって実行可能な１組のソフトウェア指令を含む不揮発性メモリとを具備する請求項８記載の装置。
【請求項１０】  前記通話履歴は下記リストの少なくとも１つを具備する請求項８記載の装置：前記装置へ入って来るページ、前記装置から発せられた電子メールメッセージ、前記装置へ入って来る電話呼及び前記装置から発せられた電話呼のリスト。
【請求項１１】  ユーザの電話帳を記憶するための手段をさらに具備し、ここで前記装置は電話呼を受信するよう構成された無線電話器を有し、前記ユーザ定義された事象は特定の電話番号から前記装置に対する電話呼のユーザ定義された番号の出現を有し、前記エントリは前記特定の電話番号を有し、ここで前記エントリは前記記憶するための手段内に記憶される請求項８記載の装置。
【請求項１２】  ユーザの電話帳を記憶するための手段をさらに具備し、ここで前記装置は電子メールメッセージを受信するよう構成され、前記ユーザ定義された事象は特定の電子メールアドレスから前記装置に対するページのユーザ定義された番号の出現を有し、前記エントリは前記特定の電子メールアドレスを有し、ここで前記エントリは前記記憶するための手段内に記憶される請求項８記載の装置。
【請求項１３】  ユーザの電話帳を記憶するための手段をさらに具備し、ここで前記装置は電話呼を送信するよう構成された無線電話器を有し、前記ユーザ定義された事象は前記装置から特定の電話番号に対する電話呼のユーザ定義された番号の出現を有し、前記エントリは前記特定の電話番号を有し、ここで前記エントリは前記記憶するための手段内に記憶される請求項８記載の装置。
【請求項１４】  ユーザの電話帳を記憶するための手段をさらに具備し、ここで前記装置は電子メールメッセージを送信するよう構成され、前記ユーザ定義された事象は前記装置から特定の電子メールアドレスに対する電子メールメッセージのユーザ定義された番号の出現を有し、前記エントリは前記特定の電子メールアドレスを有し、ここで前記エントリは記憶するための手段内に記憶される請求項８記載の装置。
【請求項１５】  特定の発信元から、電話器上でメッセージのユーザ定義された番号を受信するステップと、
前記受信するステップが生じた後に、ユーザが前記特定の発信元と関係付けられたボイスタグを前記電話器に入力するよう、自動的に、エージェントを介して促すステップとを具備する、ここで、自動的とはユーザの手動による介入なしに、ということである、
ユーザが電話器にボイスタグを入力するよう自動的に促す方法。
【請求項１６】  前記メッセージは電話呼を有し、前記特定の発信元は電話番号を有する請求項１５記載の方法。
【請求項１７】  前記メッセージはページを有し、前記特定の発信元は電子メールアドレスを有する請求項１５記載の方法。
【請求項１８】 遠隔地から前記電話器に電子メールメッセージを送信するステップをさらに具備し、前記電子メールメッセージは少なくとも１つの他の電子メールアドレスに対して同時に送信される請求項１５記載の方法。
【請求項１９】  遠隔地から前記電話器に電子メールメッセージを送信するステップをさらに具備し、前記電子メールメッセージは少なくとも１つの他の電子メールアドレスに対して同時にコピーされる請求項１５記載の方法。
【請求項２０】 電話器上のメッセージのユーザ定義された番号を特定の宛先に送信するステップと、
前記送信するステップが生じた後に、ユーザが前記特定の宛先に関係付けられたボイスタグを前記電話器に入力するよう、自動的に、エージェントを介して促すステップとを具備する、ここで、自動的とはユーザの手動による介入なしに、ということである、
ユーザがボイスタグを電話器に入力するよう自動的に促す方法。
【請求項２１】  前記メッセージは電話呼を有し、前記特定の宛先は電話番号を有する請求項２０記載の方法。
【請求項２２】  前記メッセージはページを有し、前記特定の宛先は電子メールアドレスを有する請求項２０の方法。
【請求項２３】  遠隔地から前記電話器に電子メールメッセージを送信するステップをさらに具備し、前記電子メールメッセージは少なくとも１つの他の電子メールアドレスに対して同時に送信される請求項２０記載の方法。
【請求項２４】  遠隔地から前記電話器に電子メールメッセージを送信するステップをさらに具備し、前記電子メールメッセージは少なくとも１つの他の電子メールアドレスに対して同時にコピーされる請求項２０の方法。
【請求項２５】  特定の発信元番号から電話器上のメッセージのユーザ定義された番号を受信するための手段と、
前記特定の発信元番号からメッセージの前記ユーザ定義された番号が受信された後に、ユーザが前記特定の発信元に関係付けられたボイスタグを前記電話器に入力するよう、自動的に、エージェントを介して促すための手段と、ここで、自動的とはユーザの手動による介入なしに、ということである、
を具備する、
ユーザがボイスタグを電話器に入力するよう自動的に促すユーザインターフェイス。
【請求項２６】  前記メッセージは電話呼を有し、前記特定の発信元は電話番号を有する請求項２５記載のユーザインターフェイス。
【請求項２７】  前記メッセージはページを有し、前記特定の発信元は電子メールアドレスを有する請求項２５記載のユーザインターフェイス。
【請求項２８】  特定の宛先に電話器上のメッセージのユーザ定義された番号を送信するための手段と、
前記特定の宛先にメッセージの前記ユーザ定義された番号を送信した後に、ユーザが前記特定の宛先に関係付けられたボイスタグを前記電話器に入力するよう、自動的に、エージェントを介して促すための手段と、ここで、自動的とはユーザの手動による介入なしに、ということである、
を具備する、
ユーザがボイスタグを電話器に入力するよう自動的に促すユーザインターフェイス。
【請求項２９】  前記メッセージは電話呼を有し、前記特定の宛先は電話番号を有する請求項２８記載のユーザインターフェイス。
【請求項３０】  前記メッセージはページを有し、前記特定の宛先は電子メールアドレスを有する請求項２８記載のユーザインターフェイス。